(57)【要約】【課題】動画の符号化の際に画質が劣化する可能性の高い場合に限定して単位ブロック内の画素値を直流成分に置き換えるようにした映像符号化画質劣化抑制装置、方法およびプログラムを得ること。【解決手段】映像符号化画質劣化抑制装置１０は、事前符号化手段１２で本符号化手段１１と同様の符号化を事前に行い、事前解析手段１３が単位ブロックで時空間的に相関がない画像が発生するかを解析する。発生する場合には、その単位ブロックに対してのみ周波数成分を限定して本符号化手段１１に符号化のために供給する。【選択図】図１
2011077788.tif 000002
【特許請求の範囲】
【請求項１】
１枚ずつの静止画画像を表わしたデータとして時系列的に出力される動画データを順次入力して、所定の単位ブロックごとに前記静止画画像を分割したものに対してそれぞれ符号化する本符号化手段と、
この本符号化手段により符号化が行われる前の動画データを入力して、前記本符号化手段と同一の符号化を前記単位ブロックごとに事前に行う事前符号化手段と、
この事前符号化手段により符号化した後の画像データを前記単位ブロックを単位として解析し、時空間的に相関がない画像が発生したかを判別する事前解析手段と、
この事前解析手段が前記時空間的に相関がない画像が発生したと判別した場合、それらの単位ブロックに対してのみ周波数成分を限定して前記本符号化手段に符号化のために供給する周波数成分限定手段
とを具備することを特徴とする映像符号化画質劣化抑制装置。
【請求項２】
前記単位ブロックは、動きの補償を行う単位としてのマクロブロックであり、前記周波数成分限定手段は、マクロブロック内の画素値を直流成分を表わす値に置き換えることを特徴とする請求項１記載の映像符号化画質劣化抑制装置。
【請求項３】
前記周波数成分限定手段に直接入力する動画データを、前記事前符号化手段および前記事前解析手段による信号処理の遅延時間だけ遅延させる遅延手段を具備することを特徴とする請求項１記載の映像符号化画質劣化抑制装置。
【請求項４】
前記事前解析手段は、量子化スケールを前記マクロブロックごとに予測する量子化スケール予測手段と、この量子化スケール予測手段により予測した隣接するマクロブロックごとのスケール差を求めるスケール差算出手段と、このスケール差算出手段の算出したスケール差が予め定めた特定の値より大きいとされたマクロブロックに対してそのマクロブロック内のすべての画素値を直流成分を表わす値に置き換える直流値埋め込み手段とを具備することを特徴とする請求項２記載の映像符号化画質劣化抑制装置。
【請求項５】
前記マクロブロックは、１６×１６画素であり、前記本符号化手段は、ＭＰＥＧ−２（Moving Picture Experts Group phase 2）ＶＩＤＥＯ（ＩＳＯ／ＩＥＣ１３８１８−２）や、Ｈ．２６４（ＩＳＯ／ＩＥＣ１４４９６−１０）で符号化を行うことを特徴とする請求項２記載の映像符号化画質劣化抑制装置。
【請求項６】
１枚ずつの静止画画像を表わしたデータとして時系列的に出力される動画データを順次入力して、所定の単位ブロックごとに前記静止画画像を分割したものに対してそれぞれ符号化する本符号化ステップと、
この本符号化ステップにより符号化が行われる前の動画データを入力して、前記本符号化ステップと同一の符号化を前記単位ブロックごとに事前に行う事前符号化ステップと、
この事前符号化ステップにより符号化した後の画像データを前記単位ブロックを単位として解析し、時空間的に相関がない画像が発生したかを判別する事前解析ステップと、
この事前解析ステップで前記時空間的に相関がない画像が発生したと判別された場合、それらの単位ブロックに対してのみ周波数成分を限定して前記本符号化ステップに進む周波数成分限定ステップ
とを具備することを特徴とする映像符号化画質劣化抑制方法。
【請求項７】
コンピュータに、
１枚ずつの静止画画像を表わしたデータとして時系列的に出力される動画データを順次入力して、所定の単位ブロックごとに前記静止画画像を分割したものに対してそれぞれ符号化する本符号化処理と、
この本符号化処理により符号化が行われる前の動画データを入力して、前記本符号化処理と同一の符号化を前記単位ブロックごとに事前に行う事前符号化処理と、
この事前符号化処理により符号化した後の画像データを前記単位ブロックを単位として解析し、時空間的に相関がない画像が発生したかを判別する事前解析処理と、
この事前解析処理で前記時空間的に相関がない画像が発生したと判別された場合、それらの単位ブロックに対してのみ周波数成分を限定して前記本符号化処理に進む周波数成分限定処理
とを実行させることを特徴とする映像符号化画質劣化抑制プログラム。
【発明の詳細な説明】
【技術分野】
【０００１】
本発明は、動画像を圧縮して伝送する際に画質の劣化を抑制するために使用する映像符号化画質劣化抑制装置、映像符号化画質劣化抑制方法および映像符号化画質劣化抑制プログラムに関する。
【背景技術】
【０００２】
たとえばテレビジョン放送や、通信サービスを提供するキャリア市場では、伝送路を使用して各種の動画についてのデジタル放送や、映像素材の伝送を行っている。限られた伝送帯域を使用してこのような情報を効率的に伝送するために、映像帯域を圧縮して伝送することが一般的に行われている。
【０００３】
映像の圧縮には、ＭＰＥＧ−２（Moving Picture Experts Group phase 2）ＶＩＤＥＯ（ＩＳＯ／ＩＥＣ（International Organization for Standardization/International Electrotechnical Commission）１３８１８−２）や、Ｈ．２６４（ＩＳＯ／ＩＥＣ１４４９６−１０）等の国際規格に準拠した符号化方式が用いられている。これらの映像符号化方式では、動画像の性質として、直前のフレームと現在のフレームは良く似ているというフレーム間予測の手法を利用している。そして、時空間方向に動画像の相関を採って、効率良くこれらの差分情報を伝送するようになっている。すなわち、フレーム間予測の手法で直前のフレームから現在のフレームを予測して、これらの差分に相当する画像を符号化することで効率的な圧縮を達成している。
【０００４】
ところで、動画を撮影するカメラが左右に画像を振る場合を除くと、隣接するフレームの間で動きが生じるのは一部の画像領域であるのが通常である。そこで、１枚のフレームを複数の領域に分割して、予め定めた領域ごとに動きの補償を行うことにしている。このための領域のサイズは各種設定することができるが、１６×１６画素単位の矩形ブロックとしてのマクロブロック（Macroblock）を用いることが多い。
【０００５】
この結果として、フレーム間に相関性のない映像が存在するような場合には、１６×１６画素の符号化の際のマイクロブロックの境界が明確に見える画質劣化（符号化ノイズ）が発生することが知られている。また、ＭＰＥＧ−２で画質劣化を生じさせた画像を、動画データの圧縮符号化方式の標準の一つとしてのＨ．２６４で再符号化すると、マクロブロックを単位とした四角いブロック状のノイズとしてのブロックノイズが伝播し、画質の劣化が顕著になる。
【０００６】
更に、スポーツシーンや歌番組の一部のように被写体の動きが速く、時間方向の相関が得にくい動画像については、フレーム単位ではなくフィード単位で画像を処理するフィールドストラクチャと呼ばれる手法が効果的である。１枚のフレームは、トップとボトムの２枚のフィールドを合わせたものとなる。フィールドストラクチャの場合には、フィールドを１枚の絵として符号化を行う。この場合には、フィールドがマクロブロックを構成する。したがって、フレーム全体としてみると、横方向が１６画素で縦方向が３２画素となり、符号化の最小単位であるマクロブロック構造が縦長となる。このため、所定範囲を超えた難易度を持つ画像の場合には、マクロブロックの範囲が広くなり、フレーム上で相対的にブロック歪と呼ばれる量子化誤差による歪みが顕著となるデメリットがある。
【０００７】
そこで、単位とするブロックよりも横方向と縦方向に画素数の多い大ブロックを生成して、その直流成分を用いて置換後ブロックを出力することが、本発明の関連技術として提案されている（たとえば特許文献１参照）。
【０００８】
この第１の関連技術では、単位ブロックより算出される直流成分を単位ブロックを包含する大ブロックの直流成分に置換することによって、広い範囲の相関性を利用できる。このため、単位ブロック間に発生する歪が軽減され、画質の向上を図ることができるとされる。
【先行技術文献】
【特許文献】
【０００９】
【特許文献１】特開平０６−２９６２７１号公報（第００１０段落、第００１１段落、第００１９段落、図１）
【発明の概要】
【発明が解決しようとする課題】
【００１０】
しかしながら、この関連技術では、たとえば８×８画素の単位ブロックの直流成分を１２×１２画素の大ブロックの直流成分に置き換えるものでしかなく、効果が限定的であるばかりでなく、ブロックが大型化する分だけ処理に負担が掛かるという問題がある。
【００１１】
そこで本発明の目的は、動画の符号化の際に画質が劣化するおそれがある可能性の高い場合に限定して単位ブロック内の画素値を直流成分に置き換えるようにした映像符号化画質劣化抑制装置、映像符号化画質劣化抑制方法および映像符号化画質劣化抑制プログラムを提供することにある。
【課題を解決するための手段】
【００１２】
本発明では、（イ）１枚ずつの静止画画像を表わしたデータとして時系列的に出力される動画データを順次入力して、所定の単位ブロックごとに前記静止画画像を分割したものに対してそれぞれ符号化する本符号化手段と、（ロ）この本符号化手段により符号化が行われる前の動画データを入力して、前記した本符号化手段と同一の符号化を前記した単位ブロックごとに事前に行う事前符号化手段と、（ハ）この事前符号化手段により符号化した後の画像データを前記した単位ブロックを単位として解析し、時空間的に相関がない画像が発生したかを判別する事前解析手段と、（ニ）この事前解析手段が前記した時空間的に相関がない画像が発生したと判別した場合、それらの単位ブロックに対してのみ周波数成分を限定して前記した本符号化手段に符号化のために供給する周波数成分限定手段とを映像符号化画質劣化抑制装置が具備する。
【００１３】
また、本発明では、（イ）１枚ずつの静止画画像を表わしたデータとして時系列的に出力される動画データを順次入力して、所定の単位ブロックごとに前記した静止画画像を分割したものに対してそれぞれ符号化する本符号化ステップと、（ロ）この本符号化ステップにより符号化が行われる前の動画データを入力して、前記した本符号化ステップと同一の符号化を前記した単位ブロックごとに事前に行う事前符号化ステップと、（ハ）この事前符号化ステップにより符号化した後の画像データを前記した単位ブロックを単位として解析し、時空間的に相関がない画像が発生したかを判別する事前解析ステップと、（ニ）この事前解析ステップで前記した時空間的に相関がない画像が発生したと判別された場合、それらの単位ブロックに対してのみ周波数成分を限定して前記した本符号化ステップに進む周波数成分限定ステップとを映像符号化画質劣化抑制方法が具備する。
【００１４】
更に、本発明では、コンピュータに、映像符号化画質劣化抑制プログラムとして、（イ）１枚ずつの静止画画像を表わしたデータとして時系列的に出力される動画データを順次入力して、所定の単位ブロックごとに前記した静止画画像を分割したものに対してそれぞれ符号化する本符号化処理と、（ロ）この本符号化処理により符号化が行われる前の動画データを入力して、前記した本符号化処理と同一の符号化を前記した単位ブロックごとに事前に行う事前符号化処理と、（ハ）この事前符号化処理により符号化した後の画像データを前記した単位ブロックを単位として解析し、時空間的に相関がない画像が発生したかを判別する事前解析処理と、（ニ）この事前解析処理で前記した時空間的に相関がない画像が発生したと判別された場合、それらの単位ブロックに対してのみ周波数成分を限定して前記した本符号化処理に進む周波数成分限定処理とを実行させることを特徴としている。
【発明の効果】
【００１５】
以上説明したように本発明によれば、実際に符号化を行って単位ブロックで時空間的に相関がない画像が発生するかを調べることにしている。そして、その結果に応じて、該当する単位ブロックに対してのみ周波数成分を限定して符号化を行うので、画質劣化を抑制の信頼性を高めることができる。
【図面の簡単な説明】
【００１６】
【図１】本発明の映像符号化画質劣化抑制装置のクレーム対応図である。
【図２】本発明の映像符号化画質劣化抑制方法のクレーム対応図である。
【図３】本発明の映像符号化画質劣化抑制プログラムのクレーム対応図である。
【図４】本発明の実施の形態による映像符号化画質劣化抑制装置の構成を表わしたブロック図である。
【図５】本実施の形態の映像符号化画質劣化抑制装置の画素値変換部の処理を示す流れ図である。
【図６】本発明の変形例による映像符号化画質劣化抑制装置の構成を表わしたブロック図である。
【発明を実施するための形態】
【００１７】
図１は、本発明の映像符号化画質劣化抑制装置のクレーム対応図を示したものである。本発明の映像符号化画質劣化抑制装置１０は、本符号化手段１１と、事前符号化手段１２と、事前解析手段１３と、周波数成分限定手段１４を備えている。ここで、本符号化手段１１は、１枚ずつの静止画画像を表わしたデータとして時系列的に出力される動画データを順次入力して、所定の単位ブロックごとに前記した静止画画像を分割したものに対してそれぞれ符号化する。事前符号化手段１２は、本符号化手段１１により符号化が行われる前の動画データを入力して、本符号化手段１１と同一の符号化を前記した単位ブロックごとに事前に行う。事前解析手段１３は、事前符号化手段１２により符号化した後の画像データを前記した単位ブロックを単位として解析し、時空間的に相関がない画像が発生したかを判別する。周波数成分限定手段１４は、事前解析手段１３が前記した時空間的に相関がない画像が発生したと判別した場合、それらの単位ブロックに対してのみ周波数成分を限定して本符号化手段１１に符号化のために供給する。
【００１８】
図２は、本発明の映像符号化画質劣化抑制方法のクレーム対応図を示したものである。本発明の映像符号化画質劣化抑制方法２０は、本符号化ステップ２１と、事前符号化ステップ２２と、事前解析ステップ２３と、周波数成分限定ステップ２４を備えている。ここで、本符号化ステップ２１では、１枚ずつの静止画画像を表わしたデータとして時系列的に出力される動画データを順次入力して、所定の単位ブロックごとに前記した静止画画像を分割したものに対してそれぞれ符号化する。事前符号化ステップ２２では、本符号化ステップ２１により符号化が行われる前の動画データを入力して、本符号化ステップ２１と同一の符号化を前記した単位ブロックごとに事前に行う。事前解析ステップ２３では、事前符号化ステップ２２により符号化した後の画像データを前記した単位ブロックを単位として解析し、時空間的に相関がない画像が発生したかを判別する。周波数成分限定ステップ２４では、事前解析ステップ２３で前記した時空間的に相関がない画像が発生したと判別された場合、それらの単位ブロックに対してのみ周波数成分を限定して本符号化ステップ２１に進む。
【００１９】
図３は、本発明の映像符号化画質劣化抑制プログラムのクレーム対応図を示したものである。本発明の映像符号化画質劣化抑制プログラム３０は、コンピュータに、本符号化処理３１と、事前符号化処理３２と、事前解析処理３３と、周波数成分限定処理３４を実行させるようにしている。ここで、本符号化処理３１では、１枚ずつの静止画画像を表わしたデータとして時系列的に出力される動画データを順次入力して、所定の単位ブロックごとに前記した静止画画像を分割したものに対してそれぞれ符号化する。事前符号化処理３２では、本符号化処理３１により符号化が行われる前の動画データを入力して、本符号化処理３１と同一の符号化を前記した単位ブロックごとに事前に行う。事前解析処理３３では、事前符号化処理３２により符号化した後の画像データを前記した単位ブロックを単位として解析し、時空間的に相関がない画像が発生したかを判別する。周波数成分限定処理３４では、事前解析処理３３で前記した時空間的に相関がない画像が発生したと判別された場合、それらの単位ブロックに対してのみ周波数成分を限定して本符号化処理３１に進む。
【００２０】
＜発明の実施の形態＞
【００２１】
次に本発明の実施の形態を説明する。
【００２２】
図４は、本発明の実施の形態による映像符号化画質劣化抑制装置の構成を表わしたものである。本実施の形態の映像符号化画質劣化抑制装置１００は、素材としての動画像を動画データ１０１として出力する素材信号源１０２を備えている。素材信号源１０２から出力される動画データ１０１は、映像遅延部１０３を経て遅延動画データ１０４として画素値変換部１０５に入力される外に、事前符号化部１０６に入力される。
【００２３】
事前符号化部１０６は、ＭＰＥＧ−２（ＩＳＯ／ＩＥＣ１３８１８−２）方式や、Ｈ．２６４（ＩＳＯ／ＩＥＣ１４４９６−１０）方式で事前に動画データ１０１の符号化を行う。そして、符号化後の動画データ１０７を事前解析部１０８に入力して、素材信号源１０２の複雑度あるいは相関度を解析し、符号化を行った場合の量子化スケールを予測する。
【００２４】
ここで複雑度とは、素材信号源１０２から出力される動画データ１０１を構成する画像あるいは模様の複雑さをいう。入力映像の空間的な画素平均値に対して全体の分布が広がっているものが複雑な画像となる。また、量子化スケール（Quantizer Scale）とは、次の（１）式で量子化後のデータを求めたときの値ＱＳをいう。
【００２５】
（ＤＴＣ係数×８）÷（量子化行列×２×ＱＳ）＝量子化後のデータ    ……（１）
【００２６】
ただし、ＤＴＣ（Discrete Cosine Transform）とは、離散コサイン変換をいう。画像にＤＣＴを適用して変換、すなわち周波数分解した結果としての数値はＤＴＣ係数と呼ばれる。ＤＣＴ係数は、直流（DC：Direct Current）成分と交流（AC：Alternate Current）成分から構成されている。（１）式では直流成分を除いている。
【００２７】
（１）式に示した量子化スケールＱＳを調節して、圧縮率を調整する。予測した量子化スケールが大きいほど画質劣化が発生する。隣接するマクロブロックとのスケール差が大きいほどブロックノイズが発生する。事前解析部１０８から出力される制御情報１０９は、画素値変換部１０５に入力される。
【００２８】
映像遅延部１０３は、画素値変換部１０５に特定フレームの制御情報１０９が入力される遅延量で、そのフレームの動画データ１０１が遅延されて、遅延動画データ１０４として、入力されるように時間的な調整を遅延処理で行うようになっている。画素値変換部１０５は、事前解析部１０８で予め定めた所定範囲を超えた難易度の画像とされた場合に、制御情報１０９を用いて直流値の埋め込みを画素値変換部１０５に指示する。
【００２９】
画素値変換部１０５は、この直流値の埋め込みが指示されると、遅延動画データ１０４の符号化前に該当するマクロブロックに対して直流値を埋め込む。直流値とは、ＤＣＴ係数のＡ（０，０）に当たる部分の値であり、量子化行列の左上角のセルの値を埋め込むことになる。これは離散コサイン変換後の定数項に当たり、波形全体の平均値を表わす成分としての前記した直流成分である。具体的には、該当するマクロブロックの直流成分は、量子化行列および量子化スケールに関わらず数値「８」で量子化することで求めることができる。
【００３０】
このようにして、画素値変換部１０５で所定のマクロブロックに対して、事前符号化部１０６で算出した周波数変換値の直流成分値を埋め込む処理を行った動画データ１１１は、本符号化部１１２に入力される。本符号化部１１２は、動画データ１１１を、ＭＰＥＧ−２（ＩＳＯ／ＩＥＣ（International Organization for Standardization/International Electrotechnical Commission）１３８１８）方式またはＨ．２６４（ＩＳＯ／ＩＥＣ１４４９６−１０）方式で符号化する。
【００３１】
したがって、制御情報１０９は、動画データ１１１のうちで符号化によってブロック歪が顕著となる可能性のあるものについて、本符号化部１１２による符号化前にマクロブロック単位で直流値を埋め込む指示を行うことになる。これにより、本符号化部１１２では、符号化の際の周波数成分を限定することで符号化効率を向上し、ブロック歪を抑制する効果を得ることができる。
【００３２】
図５は、映像符号化画質劣化抑制装置の画素値変換部における処理の流れを表わしたものである。図４と共に説明する。なお、映像符号化画質劣化抑制装置１００は、図示しないＣＰＵ（Central Processing Unit）を備えており、同じく図示しないメモリに格納された制御プログラムを実行することで、画素値変換部１０５等の各部の制御を行うようになっている。
【００３３】
画素値変換部１０５は映像遅延部１０３から遅延動画データ１０４が送られてくると（ステップＳ２０１：Ｙ）、これを図示しないバッファメモリに一時的に格納する（ステップＳ２０２）。そして、事前解析部１０８からバッファメモリに格納した遅延動画データ１０４と同一フレームについての制御情報１０９が送られてくると（ステップＳ２０３：Ｙ）、マクロブロックごとに量子化スケールを算出する（ステップＳ２０４）。次に、隣接するマクロブロック同士で量子化スケールの差を算出する（ステップＳ２０５）。そして、マクロブロックの量子化スケールの予測値の差が、特定の閾値を超えるマクロブロックが存在するかを判別する（ステップＳ２０６）。
【００３４】
そのような特定の閾値を超えるマクロブロックが存在しない場合には（ステップＳ２０６：Ｎ）、入力された遅延動画データ１０４を、フレームの送出タイミングでそのまま動画データ１１１として本符号化部１１２に送信する（ステップＳ２０７）。そして、処理をステップＳ２０１に戻す（リターン）。この場合、本符号化部１１２は受信したフレームの動画データ１１１をそのままＭＰＥＧ−２方式またはＨ．２６４方式で符号化することになる。
【００３５】
これに対して、ステップＳ２０６で特定の閾値を超えるマクロブロックが存在すると判別された場合には（Ｙ）、該当するマクロブロックについて直流値を埋め込む処理を行う（ステップＳ２０８）。具体的には、該当するマクロブロックについての量子化行列の左上角のセルの値「８」で量子化し、これにより得られた直流値をそのマクロブロックに埋め込む。そして、フレームの送出タイミングで処理後の動画データ１１１として本符号化部１１２に送信し（ステップＳ２０７）、処理をステップＳ２０１に戻すことになる（リターン）。以下、フレームごとの処理が続行する。
【００３６】
このように本実施の形態の映像符号化画質劣化抑制装置１００では、動画データ１１１のうちで符号化によってブロック歪が顕著となる可能性のあるものに対してマクロブロック単位で直流値を埋め込むことにした。これにより、符号化を行う周波数成分を限定することで符号化効率を向上し、ブロック歪を抑制する効果が得られる。
【００３７】
従来では、スポーツシーンや歌番組等の動きが早く時間方向相関が得にくいものに対して、フィールドストラクチャと呼ばれる手法が画質の劣化に対して効果的であるとされてきた。このフィールドストラクチャと呼ばれる手法では、符号化最小単位であるマクロブロック構造が縦長（フィールド単位で１６×１６画素）となる。このため、所定範囲を超えた難易度の画像に対してはフレーム上相対的にブロック歪が顕著となるデメリットがある。
【００３８】
これに対して、本実施の形態によれば、本符号化部１１２による符号化前にマクロブロック単位で直流値を埋め込む。これにより、本実施の形態では、周波数成分を限定することで映像符号化画質劣化抑制装置１００による符号化効率を向上し、ブロック歪を抑制する効果を得ることができる。
【００３９】
＜発明の変形例＞
【００４０】
図６は、本発明の変形例を示したものである。この図６に示した映像符号化画質劣化抑制装置１００Ａで図４と同一部分には同一の符号を付しており、これらの説明を適宜省略する。
【００４１】
この変形例では、素材信号源１０２から出力される動画データ１０１をフレーム単位で事前符号化部１０６に入力すると共に、バッファメモリ３０１に格納するようになっている。事前解析部１０８は制御情報１０９を出力するタイミングで読出指示信号３０２を読出制御部３０３に与えて、バッファメモリ３０１から該当するフレームの遅延動画データ１０４を読み出させ、これを画素値変換部１０５に供給することになる。読出制御部３０３自体が事前解析部１０８の解析結果に係わらず、図示しないクロック信号に応じて独自にバッファメモリ３０１の読出制御を行うようにしてもよい。
【００４２】
すなわち、実施の形態では画素値変換部１０５へ与える動画データを遅延回路によって所定時間遅延させたのに対して、この変形例では、バッファメモリ３０１の読み出しのタイミングを制御することで、同様の処理を可能にしている。
【００４３】
なお、実施の形態及びその変形例ではフレーム単位の画像処理を行うことにしたが、フィールド単位で同様の処理を行ってもよいことは当然である。
【産業上の利用可能性】
【００４４】
以上説明したように本発明は、実施の形態に示した例に限らず、映像を圧縮して伝送する通信システム全体で適用可能である。特に、特に地上デジタル放送のための高精細度テレビジョン（ＨＤＴＶ：High Definition Television）放送や、ワンセグ放送、ＢＳ（Broadcast Satellite）デジタル放送の低階層変調サービスで、限られた帯域による高画質伝送を目的とした通信システムで利用することができる。
【符号の説明】
【００４５】
１０、１００、１００Ａ  映像符号化画質劣化抑制装置
１１  本符号化手段
１２  事前符号化手段
１３  事前解析手段
１４  周波数成分限定手段
２０  映像符号化画質劣化抑制方法
２１  本符号化ステップ
２２  事前符号化ステップ
２３  事前解析ステップ
２４  周波数成分限定ステップ
３０  映像符号化画質劣化抑制プログラム
３１  本符号化処理
３２  事前符号化処理
３３  事前解析処理
３４  周波数成分限定処理
１０１、１１１  動画データ
１０２  素材信号源
１０３  映像遅延部
１０４  遅延動画データ
１０５  画素値変換部
１０６  事前符号化部
１０８  事前解析部
１１２  本符号化部
３０１  バッファメモリ
３０２  読出指示信号
【図１】
2011077788.tif 000003
【図２】
2011077788.tif 000004
【図３】
2011077788.tif 000005
【図４】
2011077788.tif 000006
【図５】
2011077788.tif 000007
【図６】
2011077788.tif 000008